(57)【要約】【課題】液晶ディスプレイ装置においてバックライトの点灯直後にリモコンによる操作ができない、若しくは誤動作をするという課題があった。【解決手段】液晶パネルと、バックライトと、リモコンによる操作信号を受信する受光部を有する液晶ディスプレイ装置であって、リモコンのリモコン信号受光部に下側視野角を制限する遮光手段を設けることで、バックライトの点灯直後に液晶パネルから放出される赤外線がリモコンの受光部に入射することを回避する液晶ディスプレイ装置を提供する。【選択図】  図１
2004274389.tif 000002
【特許請求の範囲】
【請求項１】
液晶パネルと、バックライトと、リモコンによる操作信号を受信する受光部を有する液晶ディスプレイ装置であって、
前記受光部は、筐体本体に設けられた受光窓と、受光素子と、前記受光素子と前記受光窓との間に配され前記受光素子の光軸より下側に遮光手段を設けた導光板とを含むことを特徴とする液晶ディスプレイ装置。
【請求項２】
バックライトとの起動時に、定常電流値より大きな第１印加電流をバックライトに印加し、その後定常電流値より小さな第２印加電流をバックライトに印加することを特徴とする請求項１記載の液晶ディスプレイ装置。
【発明の詳細な説明】
【０００１】
【発明の属する技術分野】
本発明は、主としてパネル型の表示装置に係わるものであり、特に液晶ディスプレイを遠隔操作するリモコンの信号を良好に受信するための手段を提供するためのものである。
【０００２】
【従来の技術】
図６には、液晶ディスプレイ装置の構成を示す。液晶ディスプレイは、液晶パネル１２０、バックライト部１００、映像信号処理部、システム制御部、リモコン信号の受光部１３０を含む。液晶ディスプレイ装置には、外部から直接もしくはチューナーによって受信して得た映像信号が入力される。入力された映像信号は、映像信号処理部によって液晶パネルの駆動信号に変換され、液晶パネルを駆動する。視聴者は液晶パネルの後方に設けられたバックライト部１００からの光を、液晶パネル１２０の開閉を通して見ることで、映像を視聴することができる。
【０００３】
視聴者は、外部からリモコンを用いて、液晶ディスプレイ装置全体を制御することができる。例えば、電源のＯＮ／ＯＦＦであったり、チャンネルを変更したりする場合である。
【０００４】
バックライト部に含まれるバックライトは、冷陰極型の光源で、主としてネオン、アルゴン、水銀等を封入して構成される。バックライトは、インバータ制御により電圧が印加され、内部で放電する。このとき、ガス状の水銀の励起により発せられる紫外線が、バックライトの管の内壁に塗られた蛍光体に当たり発光する。
【０００５】
【発明が解決しようとする課題】
ところが、水銀の蒸気圧は低いため、液晶ディスプレイ装置の起動時など、バックライトの管の温度が低い時には、ネオンとアルゴンの励起が支配的となる。すなわち、この際にバックライトから放出されるのは、赤外から近赤外線が支配的となる。
【０００６】
図７に、液晶ディスプレイ装置の起動時における、放射光の様子を示す。起動時の液晶ディスプレイ装置は、バックライトから主として赤外もしくは近赤外線を放射光２００として放射する。この放射光２００は液晶ディスプレイ装置の前面の床に当たり、乱反射する反射光２１０となる。この反射光２１０のなかには、リモコンの受光部１３０に入射するものもある。この受光部１３０に入射する反射光２２０は、リモコンの信号に対して雑音となる。
【０００７】
すなわち、液晶ディスプレイ装置は、起動時に、バックライトの管が水銀の励起による発光が支配的となる比較的高温になるまで、リモコンが効きにくくなる、若しくは誤動作を行うと言う課題があった。
【０００８】
【課題を解決するための手段】
本発明は、上記の課題を解決する手段を提供するものである。すなわち、リモコン信号の受光部１３０は、下方に対する視野角を小さくする遮光手段を有する。これによって、図７に示す反射光２２０強度は、受光部の中の受光素子の位置で著しく減衰させられる。結果、液晶ディスプレイ装置の起動時における、上記課題を解決することができる。
【０００９】
さらに、本発明は、起動時におけるバックライトの点灯手順（以後「点灯シーケンス」という）において、バックライトを暖めるプリヒートの工程を入れる。この本願による点灯シーケンスは、出画する前にバックライトの管を暖める。結果、バックライトの管内部では、すみやかに水銀による励起状態が生じ、上記課題を解決する。
【００１０】
【発明の実施の形態】
（実施の形態１）
図１に本実施の形態によるリモコン信号の受光部１３０を示す。図は受光部１３０を横から見た断面図である。エスカッション１３は、液晶ディバイス装置の下方向になる。
【００１１】
リモコン信号の受光部１３０は、受光窓１０と、導光板１４と、受光素子１６によって構成される。受光窓１０は、液晶ディスプレイ装置の外部筐体であるエスカッション１２および１３に開けられた窓である。この受光窓１０は、リモコンからの赤外線信号（以下「赤外線信号」には赤外および近赤外線による信号を含む。）を通過させるカバーで覆われていてもよい。
【００１２】
導光板１４は、赤外線を透過させる材質のもので、受光窓１０からの赤外線信号を受光素子１６まで導く役目を負う。受光素子１６は、リモコンからの赤外線信号を電気信号に変換し出力する。中心線９０は、導光板１４と受光素子１６の光軸の中心線を示す。
【００１３】
ここで、本発明の液晶ディスプレイ装置では、受光部１３０の下側視野角を制限する手段を有する。本実施の形態では、導光板１４の受光窓側に、遮光部１を設けることで反射光２２０をさえぎった。遮光部１は、導光板１４の受光窓側において中心線９０より下側を黒の墨で塗ることで設けた。
【００１４】
さらに、導光板１４の受光素子１６側で、中心線９０より上側に、遮光部２および遮光部３を設けた。遮光部２および３を設けることで、さらに反射光２２０をさえぎることができた。遮光部２および３も遮光部１と同様に黒の墨を塗ることで設けた。
【００１５】
本実施の形態では、遮光部を墨で塗ることで構成したが、下側からの反射光２２０をさえぎるのであれば、墨を塗ることに限定するものではなく。遮光部１の部分までエスカッション１３を伸ばしてもよい。
【００１６】
図２には、受光部１３０の下側視野角を制限する他の方法を示す。図２では、導光板１４と受光素子１６を受光窓１０の水平線９５に対して上側に傾けた状態を示している。このように受光素子を上側に傾けることでも、受光部１０の下側視野角を制限することができる。
【００１７】
（実施の形態２）
図３には、受光部１３０の下側視野角を制限するのではなく、反射光２１０の発光点８５が受光部１３０の下側視野角に入らない位置まで高くした場合の実施の形態を示す。このように受光部１３０の下側視野角を制限するのではなく、リモコン信号の妨害となる反射光２２０を反射する発光点８５を受光部１３０の下側視野角からはずすことでも、リモコンの妨害を回避することができる。
【００１８】
すなわち、液晶パネルの前方にある床上の発光点８５が受光部１３０の下側視野角より手前にあれば、発行点８５からの反射光２２０は受光部１３０に入射することはない。
【００１９】
また、液晶パネルから発せられる赤外線放射光２００は、液晶パネルからの距離が長くなるにしたがって弱くなる。従って、受光部１３０の下側視野角に反射光が入るような発光点（図では発光点８５よりさらに左側にある）からの反射光は、強度が弱くなりリモコン信号を妨害することはない。
【００２０】
（実施の形態３）
次にバックライトの点灯シーケンスを操作して上記課題を解決する手段について説明する。図４は、バックライト部１００の構成を示す。バックライト部１００は、マイコン２０と、管電流制御部２２、ＰＷＭ調光部２４、インバーター２６、バックライト２８を含む。バックライトは、数十ＫＨｚの交流電流部分と無信号部分からなる駆動電流ＤＩによって発光する。交流部分の振幅を制御するのが、管電流制御部２２である。また交流部分と無信号部分の比率を制御するのが、ＰＷＭ調光部２４である。
【００２１】
マイコンは制御信号Ｃｉを管電流制御部２２へ送り、制御する。また、制御信号ＣｐをＰＷＭ調光部２４へ送り、制御する。管電流制御部２２とＰＷＭ調光部２４は、駆動信号ＤＣｉとＤＣｐをインバーター２６へ送る。インバーター２６は、これらの信号を受け、駆動電流ＤＩでバックライトを駆動する。
【００２２】
図５には、本発明の点灯シーケンスを示す。図５において、縦軸は管電流値を示し、横軸は時間を示す。時刻Ｔ０の時点は、液晶ディスプレイ装置の電源を投入した時刻を示す。時刻Ｔ０からＴ１までのｔ０の間は、液晶ディスプレイ装置の初期化の時間である。具体的には、デバイスへのデータロードなどを行う。時刻Ｔ１から時刻Ｔ２までの時間ｔ１は第１印加電流をバックライトに加える時間である。
【００２３】
バックライトの電灯管は冷えている間は、水銀の励起が生じにくく、主としてアルゴンによる赤外線が放射される。そこで、時間ｔ１の間に、通常の定常電流値より大きな電流を流すことで、バックライトの管内温度を上げる。管内温度が上昇すれば水銀の励起による放電が始まり、蛍光体の発光を得ることができる。
【００２４】
次に時刻Ｔ２になると、映像信号を液晶パネルに送り映像を映出する。このとき、時刻Ｔ２からＴ３の間のｔ２は、第２印加電流をバックライトに加える。第２印加電流は、通常の定常電流値より小さくする。印加電流を下げると、アルゴンによる放電が弱くなり、赤外線の発生は小さくなる。すなわち、第１印加電流で昇温され、水銀による発光が始まってからは、電流をいったん下げて、アルゴンによる赤外線の発光を抑制しながらバックライトを過熱する。
【００２５】
次に時刻Ｔ３からＴ４までのｔ３では、次第に印加電流を定常電流値まで上昇させる。このときにはバックライトの管内温度も上昇し、水銀による励起の発光が主体となり、赤外線の発光は少なくなる。
【００２６】
このようにすることで、画像を映出する時刻Ｔ２以降では、バックライトから発生する赤外線は少なくなり、上記リモコンの誤動作を回避することができる。
【００２７】
【発明の効果】
本発明によれば、液晶ディスプレイ装置の起動時に生じるリモコンの誤動作などを回避することができる。
【図面の簡単な説明】
【図１】本発明の液晶ディスプレイ装置のリモコン信号受信部の一実施形態を示す図
【図２】本発明の液晶ディスプレイ装置のリモコン信号受信部の一実施形態を示す図
【図３】本発明の液晶ディスプレイ装置のリモコン信号受信部の一実施形態を示す図
【図４】本発明のバックライト部の構成を示す図
【図５】本発明のバックライトの起動シーケンスを示す図
【図６】液晶ディスプレイ装置の概観を示す図
【図７】液晶ディスプレイ装置の起動時に生じるリモコン誤動作を説明する図
【符号の説明】
１０  受光窓
１２  エスカッション
１３  エスカッション
１４  導光板
１６  受光素子
２０  マイコン
２２  管電流制御部
２４  ＰＷＭ調光部
２６  インバーター
２８  バックライト
【図１】
2004274389.tif 000003
【図２】
2004274389.tif 000004
【図３】
2004274389.tif 000005
【図４】
2004274389.tif 000006
【図５】
2004274389.tif 000007
【図６】
2004274389.tif 000008
【図７】
2004274389.tif 000009